【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
タッチパネル上のそれぞれのパネルポイントの入力タッチレベルの分布に対応してノイズを除去して有効タッチレベルを決定する段階と、
前記有効タッチレベルの２次元パターンに基づいて近接タッチを分離して前記パネルポイントのうち１つ以上のタッチポイントを決定する段階と、
を含むことを特徴とするタッチパネルのマルチタッチ検出方法。
【請求項２】
前記有効タッチレベルを決定する段階は、
前記入力タッチレベルの分布に基づいてノイズ水準を決定する段階と、
前記ノイズ水準以下の入力タッチレベルをノイズとして除去する段階と、
前記ノイズ水準より大きい入力タッチレベルを前記有効タッチレベルとして維持する段階と、
を含むことを特徴とする請求項１に記載のタッチパネルのマルチタッチ検出方法。
【請求項３】
前記ノイズ水準を決定する段階は、
それぞれの前記入力タッチレベルに対する前記パネルポイントの個数を示すヒストグラムを計算する段階と、
それぞれのスレッショルドタッチレベルに対して、前記スレッショルドタッチレベル未満の前記入力タッチレベルに対するノイズ分布及び前記スレッショルドタッチレベル以上の前記入力タッチレベルに対するタッチ分布を計算する段階と、
前記ノイズ分布、前記タッチ分布及び前記ヒストグラムに基づいて、前記ノイズ水準を決定する段階と、
を含むことを特徴とする請求項２に記載のタッチパネルのマルチタッチ検出方法。
【請求項４】
前記ノイズ水準は、
ＶＢＣ（ｔ）＝ＷＮ（ｔ）×ＷＴ（ｔ）×［ＭＮ（ｔ）−ＭＴ（ｔ）］2の値が最大となるときの前記スレッショルドタッチレベルであって、
ｔは前記スレッショルドタッチレベルであって、ＷＮ（ｔ）及びＭＮ（ｔ）は前記スレッショルドタッチレベル未満の前記入力タッチレベルに対するノイズヒストグラム加重値及びノイズ平均であって、ＷＴ（ｔ）及びＭＴ（ｔ）は前記スレッショルドタッチレベル以上の前記入力タッチレベルに対するタッチヒストグラム加重値及びタッチ平均であることを特徴とする請求項３に記載のタッチパネルのマルチタッチ検出方法。
【請求項５】
前記ノイズ水準は、
ＶＷＣ（ｔ）＝ＷＮ（ｔ）×ＶＮ（ｔ）＋ＷＴ（ｔ）×ＶＴ（ｔ）の値が最小となるときの前記スレッショルドタッチレベルであって、
ｔは前記スレッショルドタッチレベルであって、ＷＮ（ｔ）及びＶＮ（ｔ）は前記スレッショルドタッチレベル未満の前記入力タッチレベルに対するノイズヒストグラム加重値及びノイズ分散であって、ＷＴ（ｔ）及びＶＴ（ｔ）は前記スレッショルドタッチレベル以上の前記入力タッチレベルに対するタッチヒストグラム加重値及びタッチ分散であることを特徴とする請求項３に記載のタッチパネルのマルチタッチ検出方法。
【請求項６】
前記タッチポイントを決定する段階は、
前記有効タッチレベルを有しながら互いに隣接するパネルポイントの集合に該当する１つ以上のタッチグループを決定する段階と、
行方向パターン及び列方向パターンのうち、それぞれの前記タッチグループのパターンを決定する段階と、
それぞれの前記タッチグループのパターンに基づいて近接したタッチポイントを分離して前記タッチポイントの座標を提供する段階と、
を含むことを特徴で請求項１に記載のタッチパネルのマルチタッチ検出方法。
【請求項７】
前記タッチグループを決定する段階は、
前記有効タッチレベルを有するパネルポイントに第１値を与え、残りのパネルポイントに第２値を与えて、バイナリマップを生成する段階と、
前記バイナリマップをスキャンして前記タッチグループを決定する段階と、
を含むことを特徴とする請求項６に記載のタッチパネルのマルチタッチ検出方法。
【請求項８】
前記バイナリマップをスキャンして前記タッチグループを決定する段階は、
それぞれのソースポイントに対し周辺のカーネルポイントからなるカーネルを設定する段階と、
前記ソースポイントが前記第１値を有して前記カーネルポイントが前記第２値を有する場合、新しいタッチグループで判別する段階と、
を含むことを特徴とする請求項７に記載のタッチパネルのマルチタッチ検出方法。
【請求項９】
前記それぞれのソースポイントの列座標をｘ、行座標をｙとするとき、それぞれのソースポイント（ｘ，ｙ）に対して、前記カーネルポイントは（ｘ−１，ｙ−１）、（ｘ，ｙ−１）、（ｘ＋１，ｙ−１）、及び（ｘ−１，ｙ）の４つのポイントが設定され、
前記ソースポイントを（０，０）から始め、列座標ｘを増加させ、１つの行のスキャンが完了すると、行座標ｙを増加させ、前記タッチパネルの全てのパネルポイントに対して前記タッチグループを決定するためのスキャンを実行することを特徴とする請求項８に記載のタッチパネルのマルチタッチ検出方法。
【請求項１０】
それぞれの前記タッチグループのパターンを決定する段階は、
それぞれの前記タッチグループに属するパネルポイントの行方向の有効タッチレベルを合算した値のうちから極大値の個数を示す列方向エッジ値を決定する段階と、
それぞれの前記タッチグループに属するパネルポイントの列方向の有効タッチレベルを合算した値のうちから極大値の個数を示す行方向エッジ値を決定する段階と、
前記列方向エッジ値と前記行方向エッジ値とを比較してそれぞれの前記タッチグループのパターンを決定する段階と、
を含むことを特徴とする請求項６に記載のタッチパネルのマルチタッチ検出方法。
【請求項１１】
それぞれの前記タッチグループのパターンを決定する段階は、
それぞれの前記タッチグループの行方向の長さと列方向の長さとを比較してそれぞれの前記タッチグループのパターンを決定する段階を含むことを特徴とする請求項６に記載のタッチパネルのマルチタッチ検出方法。
【請求項１２】
それぞれの前記タッチグループの行方向の長さ及び列方向の長さのうち少なくとも１つに基づいて前記タッチグループの大きさが基準値より大きい場合、使用者が意図しなかったタッチ行為と判断する段階をさらに含むことを特徴とする請求項６に記載のタッチパネルのマルチタッチ検出方法。
【請求項１３】
前記近接したタッチポイントを分離して前記タッチポイントの座標を提供する段階は、
決定されたそれぞれの前記タッチグループのパターンに基づいてそれぞれの行、または、それぞれの列に対して前記有効タッチレベルの最大値及び前記最大値を有するパネルポイントの座標を求める段階と、
前記最大値を比較して前記タッチポイントの座標を提供する段階と、
を含むことを特徴とする請求項６に記載のタッチパネルのマルチタッチ検出方法。
【請求項１４】
タッチパネルのそれぞれのパネルポイントの入力タッチレベルの分布に対応してノイズを除去して有効タッチレベルを決定する段階と、
前記有効タッチレベルの２次元パターンに基づいて近接タッチを分離して前記パネルポイントのうち１つ以上のタッチポイントを決定する段階と、
前記タッチポイントに対応するディスプレイパネルの対応座標を抽出する段階と、
を含むことを特徴とするタッチスクリーン装置の作動方法。
【請求項１５】
前記ディスプレイパネルの対応座標を抽出する段階は、
それぞれの前記タッチポイントを中心に周辺のパネルポイントを含むマスクを設定する段階と、
前記マスク内のパネルポイントの前記入力タッチレベルを加重値として前記ディスプレイパネルの対応座標を計算する段階と、
を含むことを特徴とする請求項１４に記載のタッチスクリーン装置の作動方法。
【請求項１６】
前記マスクは、それぞれの前記タッチポイントを中心に複数の行と複数の列とに該当する周辺のパネルポイントを含むように拡張することを特徴とする請求項１５に記載のタッチスクリーン装置の作動方法。
【請求項１７】
タッチパネルのそれぞれのパネルポイントの入力タッチレベルに基づいて有効タッチレベルを有しながら互いに隣接するパネルポイントの集合に該当する１つ以上のタッチグループを決定する段階と、
行方向パターン及び列方向パターンのうち、それぞれの前記タッチグループのパターンを決定する段階と、
それぞれの前記タッチグループのパターンに基づいて近接したタッチポイントを分離し、前記タッチポイントの座標を提供する段階と、
を含むことを特徴とするタッチパネルの近接タッチ分離方法。
【請求項１８】
前記タッチポイントの座標を提供する段階は、
決定された前記それぞれのタッチグループのパターンに基づいて、それぞれの行、またはそれぞれの列に対して前記有効タッチレベルの最大値及び前記最大値を有するパネルポイントの座標を求める段階と、
前記最大値を比較して前記タッチポイントの座標を提供する段階と、
を含むことを特徴とする請求項１７に記載のタッチパネルの近接タッチ分離方法。
【請求項１９】
入力フレームデータの分布に基づいてノイズ水準を決定する段階と、
前記入力フレームデータにおいて前記ノイズ水準以下の入力タッチレベルをノイズとして除去し、前記ノイズ水準より大きい入力タッチレベルを前記有効タッチレベルとして維持する段階と、
をさらに含み、
前記有効タッチレベルに基づいて前記タッチグループを決定することを特徴とする請求項１７に記載のタッチパネルの近接タッチ分離方法。
【請求項２０】
タッチパネルとディスプレイパネルとを含むタッチスクリーンと、
前記タッチパネルのそれぞれのパネルポイントの入力タッチレベルの分布に対応したノイズを除去して有効タッチレベルを決定し、前記有効タッチレベルの２次元パターンに基づいて近接タッチを分離して前記パネルポイントのうち１つ以上のタッチポイントを決定するタッチパネル制御部と、
前記ディスプレイパネル上に映像を表示するように前記ディスプレイパネルを制御するディスプレイ駆動部と、
を含むことを特徴とするタッチスクリーン装置。